【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるワイヤレス通信のための方法であって、
第１のセルとユーザ機器（ＵＥ）との間でサービスされる第１のトラフィックボリュームを決定することと、ここにおいて、前記第１のセルは１次セルである、
第２のセルと前記ＵＥとの間でサービスされる第２のトラフィックボリュームを決定することと、ここにおいて、前記第２のセルは２次セルであり、前記第２のトラフィックボリュームの少なくとも一部分は前記１次セルによって制御され、前記第１のトラフィックボリュームおよび前記第２のトラフィックボリュームは、前記第１のセルおよび前記第２のセルによってサービスされる各無線ベアラ向けのトラフィックボリュームを備える、
前記無線ベアラのうちの少なくとも１つに関連付けられたトリガを検出することと、
前記検出されたトリガに少なくとも部分的に基づいて、前記第１のトラフィックボリュームおよび前記第２のトラフィックボリュームを前記ワイヤレス通信ネットワークのノードに報告することと
を備える方法。
【請求項２】
前記第１のトラフィックボリュームおよび前記第２のトラフィックボリュームは、トラフィックの同じストリームに関連付けられる、請求項１に記載の方法。
【請求項３】
前記第１のトラフィックボリュームまたは前記第２のトラフィックボリュームのうちの１つまたは複数は、アクセスポイント名（ＡＰＮ）、デフォルトのデータベアラ、専用データベアラ、インターネットプロトコル（ＩＰ）フロー、または伝送制御プロトコル（ＴＣＰ）接続のうちの１つまたは複数に関連付けられたトラフィックを備える、請求項１に記載の方法。
【請求項４】
前記第１のトラフィックボリュームは、前記第２のトラフィックボリュームとは異なるように課金される、請求項１に記載の方法。
【請求項５】
前記第１のセルはライセンス無線周波数スペクトル帯域を使用し、前記第２のセルは非ライセンス無線周波数スペクトル帯域を使用する、請求項１に記載の方法。
【請求項６】
前記第１のセルと前記第２のセルは異なる無線アクセス技術（ＲＡＴ）を使用する、請求項１に記載の方法。
【請求項７】
前記第１のトラフィックボリュームおよび前記第２のトラフィックボリュームは、ダウンリンクトラフィックボリュームまたはアップリンクトラフィックボリュームのうちの１つまたは複数について決定される、請求項１に記載の方法。
【請求項８】
前記第１のトラフィックボリュームおよび前記第２のトラフィックボリュームはデータトラフィックボリュームを備える、請求項１に記載の方法。
【請求項９】
前記第１のトラフィックボリュームおよび前記第２のトラフィックボリュームは、無線リソース制御（ＲＲＣ）シグナリングトラフィックボリューム、ネットワークアクセス層（ＮＡＳ）シグナリングトラフィックボリューム、および制御チャネル物理シグナリングトラフィックボリュームのうちの少なくとも１つを備える、請求項１に記載の方法。
【請求項１０】
前記検出されたトリガは、無線ベアラ変更、アクティブ化、または非アクティブ化のうちの１つである、請求項１に記載の方法。
【請求項１１】
前記第１のトラフィックボリュームおよび前記第２のトラフィックボリュームのうちの１つまたは複数は、前記第１のセルおよび前記第２のセルによって提供される各サービスデータフロー（ＳＤＦ）向けのトラフィックボリュームを備える、請求項１に記載の方法。
【請求項１２】
前記第１のトラフィックボリュームおよび前記第２のトラフィックボリュームは、Ｓ１−Ｕインターフェース、ＧＴＰ−Ｕヘッダ、Ｓ１−モビリティ管理エンティティ（ＭＭＥ）インターフェース、または課金データ機能（ＣＤＦ）のうちの１つまたは複数を使って報告される、請求項１に記載の方法。
【請求項１３】
前記第１のトラフィックボリュームおよび前記第２のトラフィックボリュームの前記報告は定期的に実施される、請求項１に記載の方法。
【請求項１４】
ワイヤレス通信ネットワークにおける第１のネットワーク要素によって、ユーザ機器（ＵＥ）課金情報を決定するための方法であって、
前記第１のネットワーク要素によって、前記ＵＥについての少なくとも第１のトラフィックボリュームと第２のトラフィックボリュームとを受信することと、ここにおいて、前記第１のトラフィックボリュームは、前記ＵＥと第１のセルとの間でサービスされるトラフィックの量を示し、前記第１のセルは１次セルであり、前記第２のトラフィックボリュームは、前記ＵＥと第２のセルとの間でサービスされるトラフィックの量を示し、前記第２のセルは２次セルであり、前記第２のトラフィックボリュームの少なくとも一部分は前記１次セルによって制御され、前記第１のトラフィックボリュームおよび前記第２のトラフィックボリュームは、前記第１のセルおよび前記第２のセルによってサービスされる各無線ベアラ向けのトラフィックボリュームを備える、
前記第１のネットワーク要素によって、前記第１のトラフィックボリュームおよび前記第２のトラフィックボリュームに少なくとも部分的に基づいて、ベアラ単位で前記ＵＥについて課金情報を収集する課金データ記録を生成することと
を備える、方法。
【請求項１５】
前記第１および第２のトラフィックボリュームは、前記ＵＥに与えられるトラフィックの同じストリームに関連付けられる、請求項１４に記載の方法。
【請求項１６】
前記受信された第１のトラフィックボリュームと前記第２のトラフィックボリュームとを第２のネットワーク要素にフォワードすることをさらに備え、ここにおいて、前記第１のネットワーク要素は、モビリティ管理エンティティ（ＭＭＥ）またはサービングゲートウェイのうちの１つまたは複数を備え、前記第２のネットワーク要素は、サービングゲートウェイまたはパケットデータネットワークゲートウェイのうちの１つまたは複数を備える、請求項１４に記載の方法。
【請求項１７】
前記課金データ記録を生成することは、
前記第１のネットワーク要素によって、第１の課金レートに少なくとも部分的に基づいて、前記第１のトラフィックボリュームについての課金を算出することと、
前記第１のネットワーク要素によって、前記第１の課金レートとは異なる第２の課金レートに少なくとも部分的に基づいて、前記第２のトラフィックボリュームについての課金を算出することとを備える、請求項１４に記載の方法。
【請求項１８】
前記第２のセルと前記ＵＥとの間のワイヤレス接続は、非ライセンス無線周波数スペクトル帯域を使って確立される、請求項１４に記載の方法。
【請求項１９】
前記第２のセルと前記第１のセルは、異なる無線アクセス技術（ＲＡＴ）を使用する、請求項１４に記載の方法。
【請求項２０】
ワイヤレス通信ネットワークにおけるワイヤレス通信のための装置であって、
プロセッサと、
前記プロセッサと電気的に通信しているメモリと、
前記メモリ中に記憶された命令と、
を備え、前記命令は、前記装置に、
第１のセルとユーザ機器（ＵＥ）との間でサービスされる第１のトラフィックボリュームを決定させ、ここにおいて、前記第１のセルは１次セルである、
第２のセルと前記ＵＥとの間でサービスされる第２のトラフィックボリュームを決定させ、ここにおいて、前記第２のセルは２次セルであり、前記第２のトラフィックボリュームの少なくとも一部分は前記１次セルによって制御され、前記第１のトラフィックボリュームおよび前記第２のトラフィックボリュームは、前記第１のセルおよび前記第２のセルによってサービスされる各無線ベアラ向けのトラフィックボリュームを備える、
前記無線ベアラのうちの少なくとも１つに関連付けられたトリガを検出することと、
前記検出されたトリガに少なくとも部分的に基づいて、前記第１のトラフィックボリュームおよび前記第２のトラフィックボリュームを前記ワイヤレス通信ネットワークのノードに報告させる
ように前記プロセッサによって実行可能である、装置。
【請求項２１】
前記第１のトラフィックボリュームおよび前記第２のトラフィックボリュームは、トラフィックの同じストリームに関連付けられる、請求項２０に記載の装置。
【請求項２２】
前記第１のトラフィックボリュームは、前記第２のトラフィックボリュームとは異なるように課金される、請求項２０に記載の装置。
【請求項２３】
前記第１のセルはライセンス無線周波数スペクトル帯域を使用し、前記第２のセルは非ライセンス無線周波数スペクトル帯域を使用する、請求項２０に記載の装置。
【請求項２４】
前記第１のセルと前記第２のセルは異なる無線アクセス技術（ＲＡＴ）を使用する、請求項２０に記載の装置。
【請求項２５】
前記第１のトラフィックボリュームおよび前記第２のトラフィックボリュームは、Ｓ１−Ｕインターフェース、ＧＴＰ−Ｕヘッダ、Ｓ１−モビリティ管理エンティティ（ＭＭＥ）インターフェース、または課金データ機能（ＣＤＦ）のうちの１つまたは複数を使って報告される、請求項２０に記載の装置。
【請求項２６】
ワイヤレス通信ネットワークにおける第１のネットワーク要素によって、ユーザ機器（ＵＥ）課金情報を決定するための装置であって、
プロセッサと、
前記プロセッサと電気的に通信しているメモリと、
前記メモリ中に記憶された命令と、
を備え、前記命令は、前記装置に、
前記ＵＥ向けの少なくとも第１のトラフィックボリュームと第２のトラフィックボリュームとを受信させ、ここにおいて、前記第１のトラフィックボリュームは、前記ＵＥと第１のセルとの間でサービスされるトラフィックの量を示し、前記第１のセルは１次セルであり、前記第２のトラフィックボリュームは、前記ＵＥと第２のセルとの間でサービスされるトラフィックの量を示し、前記第２のセルは２次セルであり、前記第２のトラフィックボリュームの少なくとも一部分は前記１次セルによって制御され、前記第１のトラフィックボリュームおよび前記第２のトラフィックボリュームは、前記第１のセルおよび前記第２のセルによってサービスされる各無線ベアラ向けのトラフィックボリュームを備える、
前記第１のトラフィックボリュームおよび前記第２のトラフィックボリュームに少なくとも部分的に基づいて、ベアラ単位で前記ＵＥについて課金情報を収集する課金データ記録を生成させる
ように前記プロセッサによって実行可能である、装置。
【請求項２７】
前記第１および第２のトラフィックボリュームは、前記ＵＥに与えられるトラフィックの同じストリームに関連付けられる、請求項２６に記載の装置。
【請求項２８】
前記命令は、前記プロセッサによって実行されると、前記装置に、前記受信された第１のトラフィックボリュームと前記第２のトラフィックボリュームとを第２のネットワーク要素にフォワードさせる、ここにおいて、前記第１のネットワーク要素は、モビリティ管理エンティティ（ＭＭＥ）またはサービングゲートウェイのうちの１つまたは複数を備え、前記第２のネットワーク要素は、サービングゲートウェイまたはパケットデータネットワークゲートウェイのうちの１つまたは複数を備える、請求項２６に記載の装置。
【請求項２９】
前記第２のセルと前記ＵＥとの間のワイヤレス接続は、非ライセンス無線周波数スペクトル帯域を使って確立される、請求項２６に記載の装置。
【請求項３０】
前記第２のセルと前記第１のセルは異なる無線アクセス技術（ＲＡＴ）を使用する、請求項２６に記載の装置。